(57)【要約】【課題】広い範囲に存在する携帯端末装置を対象に各ユーザに適した配信情報をＰＵＳＨ配信することができる情報配信制御装置を提供する。【解決手段】情報配信制御装置は、グループ情報管理部と、配信情報特定部と、情報配信部とを備える。前記グループ情報管理部は、携帯端末装置からの受信情報に基づいて前記携帯端末装置を検知した携帯端末検知装置を含むグループのグループ情報を少なくとも取得する。前記配信情報特定部は、前記携帯端末装置のユーザの嗜好性と前記ユーザの属性とに基づいて、配信する情報のカテゴリーを特定する。前記情報配信部は、前記検知した携帯端末検知装置を含むグループの他の携帯端末検知装置の設置位置に係る情報のうち前記特定したカテゴリーに係る情報を配信する。【選択図】図１
2015176545.tif 000002
【特許請求の範囲】
【請求項１】
携帯端末装置からの受信情報に基づいて前記携帯端末装置を検知した携帯端末検知装置を含むグループのグループ情報を少なくとも取得するグループ情報管理部と、
前記携帯端末装置のユーザの嗜好性と前記ユーザの属性とに基づいて、配信する情報のカテゴリーを特定する配信情報特定部と、
前記検知した携帯端末検知装置を含むグループの他の携帯端末検知装置の設置位置に係る情報のうち前記特定したカテゴリーに係る情報を配信する情報配信部と
を備える情報配信制御装置。
【請求項２】
前記検知した携帯端末検知装置を含むグループのうちの１つの携帯端末検知装置が携帯端末装置を検知した場合に、所定の条件を満足しない場合に、前記ユーザの属性に係る情報の配信を抑制する情報配信抑制部
を備える請求項１に記載の情報配信制御装置。
【請求項３】
前記配信情報特定部は、前記ユーザに係る統計情報に基づいて、前記ユーザの属性に係る配信する情報のカテゴリーを特定する
請求項１または請求項２に記載の情報配信制御装置。
【請求項４】
請求項１から請求項３の何れか一項に記載の情報配信制御装置と、
前記情報配信制御装置と通信する携帯端末検知装置と、
を備える情報システム。
【請求項５】
前記携帯端末検知装置と通信する携帯端末装置
を備える請求項４に記載の情報システム。
【請求項６】
携帯端末装置からの受信情報に基づいて前記携帯端末装置を検知した携帯端末検知装置を含むグループのグループ情報を少なくとも取得し、
前記携帯端末装置のユーザの嗜好性と前記ユーザの属性とに基づいて、配信する情報のカテゴリーを特定し、
前記検知した携帯端末検知装置を含むグループの他の携帯端末検知装置の設置位置に係る情報のうち前記特定したカテゴリーに係る情報を配信する情報配信制御方法。
【請求項７】
情報配信制御装置のコンピュータを、
携帯端末装置からの受信情報に基づいて前記携帯端末装置を検知した携帯端末検知装置を含むグループのグループ情報を少なくとも取得するグループ情報管理手段と、
前記携帯端末装置のユーザの嗜好性と前記ユーザの属性とに基づいて、配信する情報のカテゴリーを特定する配信情報特定手段と、
前記検知した携帯端末検知装置を含むグループの他の携帯端末検知装置の設置位置に係る情報のうち前記特定したカテゴリーに係る情報を配信する情報配信手段
として機能させるプログラム。
【発明の詳細な説明】
【技術分野】
【０００１】
本発明は、情報配信制御装置、情報システム、情報配信制御方法、及びプログラムに関する。
【背景技術】
【０００２】
情報システムにおける情報提供サービスの１つとして、登録ユーザの携帯端末装置が発信する電波を検知した場合に、広告やクーポンなどの配信情報を携帯端末装置にＰＵＳＨ配信するサービスが行われている。
特許文献１には、関連する技術として、配信情報を携帯端末装置に配信する際に、ネットワーク回線の負荷を分散させるように制御する技術が記載されている。
【先行技術文献】
【特許文献】
【０００３】
【特許文献１】特開２００６−２４６０９０号公報
【発明の概要】
【発明が解決しようとする課題】
【０００４】
ところで、登録ユーザの携帯端末装置が発信する電波を検知した場合に、配信情報を携帯端末装置にＰＵＳＨ配信するサービスでは、広告やクーポンなどの配信情報はできる限り多くのユーザに配信し、配信情報を利用するユーザを増やすことが望まれている。そのため、可能な限り広範囲の携帯端末装置に配信情報をＰＵＳＨ配信できることが望ましい。また、登録ユーザの有益性やネットワーク回線における負荷分散の点から、各登録ユーザに適した情報のみをＰＵＳＨ配信し、不要な情報はＰＵＳＨ配信しないことが望ましい。しかしながら、３Ｇや４Ｇ回線のような広域通信を用いるＰＵＳＨ配信サービスでは、広範囲に情報を配信できるが、位置・動線・タイミングなどの検出精度が低いため、配信情報が画一的、冗長的になりやすい。また、ＷｉＦｉ（登録商標）などの局地通信を用いるＰＵＳＨ配信サービスでは、位置・動線・タイミングなどの検出精度が高いため、各登録ユーザに適した配信情報を提供しやすいが、情報の配信範囲が狭くなりがちである。
そのため、広い範囲に存在する携帯端末装置を対象に各ユーザに適した配信情報をＰＵＳＨ配信する技術が求められていた。
【０００５】
そこでこの発明は、上記の課題を解決することのできる情報配信制御装置、情報システム、情報配信制御方法、及びプログラムを提供することを目的としている。
【課題を解決するための手段】
【０００６】
上記目的を達成するために、本発明は、携帯端末装置からの受信情報に基づいて前記携帯端末装置を検知した携帯端末検知装置を含むグループのグループ情報を少なくとも取得するグループ情報管理部と、前記携帯端末装置のユーザの嗜好性と前記ユーザの属性とに基づいて、配信する情報のカテゴリーを特定する配信情報特定部と、前記検知した携帯端末検知装置を含むグループの他の携帯端末検知装置の設置位置に係る情報のうち前記特定したカテゴリーに係る情報を配信する情報配信部とを備える情報配信制御装置である。
【０００７】
また本発明は、少なくとも、前記何れか一項に記載の情報配信制御装置と、前記情報配信制御装置と通信する携帯端末検知装置と、を備える情報システムである。
【０００８】
また本発明は、携帯端末装置からの受信情報に基づいて前記携帯端末装置を検知した携帯端末検知装置を含むグループのグループ情報を少なくとも取得し、前記携帯端末装置のユーザの嗜好性と前記ユーザの属性とに基づいて、配信する情報のカテゴリーを特定し、前記検知した携帯端末検知装置を含むグループの他の携帯端末検知装置の設置位置に係る情報のうち前記特定したカテゴリーに係る情報を配信する情報配信制御方法である。
【０００９】
また本発明は、情報配信制御装置のコンピュータを、携帯端末装置からの受信情報に基づいて前記携帯端末装置を検知した携帯端末検知装置を含むグループのグループ情報を少なくとも取得するグループ情報管理手段と、前記携帯端末装置のユーザの嗜好性と前記ユーザの属性とに基づいて、配信する情報のカテゴリーを特定する配信情報特定手段と、前記検知した携帯端末検知装置を含むグループの他の携帯端末検知装置の設置位置に係る情報のうち前記特定したカテゴリーに係る情報を配信する情報配信手段として機能させるプログラムである。
【発明の効果】
【００１０】
本発明によれば、広い範囲に存在する携帯端末装置を対象に各ユーザに適した配信情報をＰＵＳＨ配信することができる。
【図面の簡単な説明】
【００１１】
【図１】本発明の情報配信制御装置１０の最小構成の一例を示す図である。
【図２】本発明の第一の実施形態による情報配信制御装置１０を備える情報システム１の一例を示す図である。
【図３】記憶部１０９がデータテーブルとして記憶する情報の例を示す図である。
【図４】記憶部１０９がデータテーブルとして記憶する情報の例を示す図である。
【図５】記憶部１０９がデータテーブルとして記憶する情報の例を示す図である。
【図６】記憶部１０９がデータテーブルとして記憶する情報の例を示す図である。
【図７】記憶部１０９がデータテーブルとして記憶する情報の例を示す図である。
【図８】本発明の第一の実施形態による情報配信制御装置１０を備える情報システム１の処理フローの一例を示す図である。
【図９】本発明の第二の実施形態による情報配信制御装置１０を備える情報システム１の一例を示す図である。
【図１０】本発明の第二の実施形態による情報配信制御装置１０を備える情報システム１の処理フローの一例を示す図である。
【図１１】本発明の第一の実施形態による情報配信制御装置１０を備える情報システム１の運営の一例を示す図である。
【図１２】本発明の第一の実施形態による情報配信制御装置１０を備える情報システム１のサービスの一例を示す図である。
【図１３】本発明の第一の実施形態による情報配信制御装置１０を備える情報システム１のサービスをイメージ化した例を示す図である。
【発明を実施するための形態】
【００１２】
図１は、本発明の情報配信制御装置１０の最小構成の一例を示す図である。
本発明の情報配信制御装置１０は、図１で示すように、少なくともグループ情報管理部１０１と、配信情報特定部１０２と、情報配信部１０３とを備える。
情報配信制御装置１０が備えるグループ情報管理部１０１は、携帯端末装置が発信する電波に係る情報に基づいて携帯端末装置を検知する複数の携帯端末検知装置のグループに係るグループ情報を管理する。
配信情報特定部１０２は、携帯端末装置のユーザの嗜好性とユーザの属性とに基づいて、配信する情報のカテゴリーを特定する。
情報配信部１０３は、複数の携帯端末検知装置のうちの１つが携帯端末装置を検知した場合に、検知した携帯端末検知装置が登録されたグループの他の携帯端末検知装置の設置位置に係る情報のうち検知された携帯端末装置のユーザの属性に係る情報を配信する。
【００１３】
＜第一の実施形態＞
図２は、本発明の第一の実施形態による情報配信制御装置１０を備える情報システム１の一例を示す図である。
図２で示すように、第一の実施形態による情報システム１は、情報配信制御装置１０と、携帯端末装置２０と、携帯端末検知装置３０ａ、３０ｂ、・・・、３０ｊ、・・・と、情報サーバ４０と、認証／収集サーバ５０と、ＰＵＳＨ連携サーバ６０と、ＰＵＳＨサーバ７０とを備える。
なお、携帯端末検知装置３０ａ、３０ｂ、・・・、３０ｊ、・・・を総称して、携帯端末検知装置３０と呼ぶことがある。
【００１４】
第一の実施形態による情報配信制御装置１０は、図１で示した最小構成の一例である情報配信制御装置１０に加え、記憶部１０９を備える。
第一の実施形態による情報配信制御装置１０が備えるグループ情報管理部１０１は、複数の携帯端末検知装置３０が登録されたグループ（群）を示すグループ情報を管理する。例えば、グループ情報管理部１０１は、記憶部１０９に携帯端末検知装置３０のグループ情報を変更し記録する。また、グループ情報管理部１０１は、記憶部１０９から携帯端末検知装置３０のグループ情報を読み出す。
配信情報特定部１０２は、携帯端末装置２０のユーザの嗜好性とユーザの属性とに基づいて、配信する情報のカテゴリーを特定する。また、配信情報特定部１０２は、ユーザに係る統計情報に基づいて、ユーザの属性に係る配信する情報のカテゴリーを特定する。
【００１５】
情報配信部１０３は、複数の携帯端末検知装置３０のうちの１つが携帯端末装置２０を検知した場合に、検知した携帯端末検知装置３０が登録されたグループの他の携帯端末検知装置３０の設置位置に係る情報のうち検知された携帯端末装置２０のユーザの属性に係る情報を配信する。
【００１６】
記憶部１０９は、情報配信制御装置１０が行う処理に必要な種々の情報を記憶する記憶部である。記憶部１０９は、例えば、ユーザの属性と配信情報（ユーザの属性に係る情報）や、配信情報自体のデータを記憶する。また、記憶部１０９は、例えば、携帯端末検知装置３０のグループ情報、ユーザ情報、行動履歴、ユーザに係る統計情報、基本ルールなどを記憶する。記憶部１０９が記憶する携帯端末検知装置３０のグループ情報、ユーザ情報、行動履歴、ユーザに係る統計情報、基本ルールの詳細は、図３〜図７を用いて後述する。
【００１７】
携帯端末装置２０は、情報サーバ４０と通信を行う。携帯端末装置２０は、例えばスマートフォンである。携帯端末装置２０は、ＰＵＳＨサーバから広告やクーポンなどの情報を取得することや、別の携帯端末装置との通信なども可能である。
【００１８】
携帯端末検知装置３０は、携帯端末装置２０が発信する電波を検出する。携帯端末検知装置３０は、例えば、検出した電波に含まれるデータフレームを検知する。携帯端末検知装置３０は、検知したデータフレームから携帯端末装置２０の識別子、例えば、ＭＡＣ（Ｍｅｄｉａ  Ａｃｃｅｓｓ  Ｃｏｎｔｒｏｌ）アドレスやシリアル番号などを取得する。携帯端末検知装置３０は、携帯端末装置２０の識別子と自装置の識別子とを認証／収集サーバ５０に送信する。
【００１９】
情報サーバ４０は、携帯端末装置２０と通信を行い、情報提供などのサービスを提供する。例えば、情報サーバ４０は、携帯端末装置２０のユーザによるユーザ登録などの携帯端末装置２０への操作に基づいて、広告やクーポンなどを提供するためのアプリケーションプログラムを携帯端末装置２０に送信する。また、情報サーバ４０は、携帯端末装置２０のユーザによるユーザ登録などの操作に基づいて取得したユーザ情報を認証／収集サーバ５０に送信する。
【００２０】
認証／収集サーバ５０は、情報サーバ４０からユーザ情報を取得する。また、認証／収集サーバ５０は、携帯端末検知装置３０から携帯端末装置２０の識別子と携帯端末検知装置３０の識別子を取得する。認証／収集サーバ５０は、取得したユーザ情報と、携帯端末装置２０の識別子と、携帯端末検知装置３０の識別子を情報配信制御装置１０に送信する。
【００２１】
ＰＵＳＨ連携サーバ６０は、情報配信制御装置１０から携帯端末装置２０に配信する配信情報を受信する。ＰＵＳＨ連携サーバ６０は、受信した配信情報と、その受信した配信情報を携帯端末装置２０に配信するよう指示する指示信号とをＰＵＳＨサーバ７０に送信する。
【００２２】
ＰＵＳＨサーバ７０は、ＰＵＳＨ連携サーバ６０から配信情報と、配信情報を携帯端末装置２０にＰＵＳＨ配信するよう指示する指示信号とを受信する。ＰＵＳＨサーバ７０は、配信情報を携帯端末装置２０に配信する。
【００２３】
図３〜図７は、記憶部１０９がデータテーブルとして記憶する情報の例を示す図である。
図３は、携帯端末検知装置３０のグループ情報を示すグループ情報データテーブルである。携帯端末検知装置３０は、ユーザの指定により任意のグループに分けられる。グループ情報データテーブルでは、店舗Ａに設置された携帯端末検知装置３０ａと、店舗Ｈに設置された携帯端末検知装置３０ｈと、店舗Ｊに設置された携帯端末検知装置３０ｊとがグループＡに属する携帯端末検知装置３０として登録されている。グループ情報データテーブルでは、店舗αに設置された携帯端末検知装置３０αと、店舗βに設置された携帯端末検知装置３０βと、店舗γに設置された携帯端末検知装置３０γとがグループＢに属する携帯端末検知装置３０として登録されている。グループ情報データテーブルでは、店舗θに設置された携帯端末検知装置３０θと、店舗ηに設置された携帯端末検知装置３０βと、店舗φに設置された携帯端末検知装置３０φとがグループＣに属する携帯端末検知装置３０として登録されている。
情報配信制御装置１０は、それぞれのグループに登録されている携帯端末検知装置３０の通信範囲全体をそれぞれ１つのエリアとみなして配信情報を配信する制御を行う。
【００２４】
図４は、ユーザ情報を示すユーザ情報データテーブルである。ユーザ情報データテーブルは、図４で示すように、性別や年代などから成るユーザ属性と、携帯端末装置２０の識別子との対応関係を保持する。
なお、ユーザ属性は、広告やクーポンなどを受信するためのアプリケーションプログラムをダウンロードする際に、ユーザがユーザ登録するために入力した情報である。
【００２５】
図５は、行動履歴を示す行動履歴データテーブルである。行動履歴データテーブルは、図５で示すように、携帯端末装置２０のユーザの行動履歴を保持する。ユーザが携帯端末装置２０を所持して様々な店舗を訪れた際に、各店舗に設置された携帯端末検知装置３０は携帯端末装置２０が発信する電波を受信し、受信した電波に含まれる情報に基づいて、携帯端末装置２０を特定する。例えば、携帯端末検知装置３０は、検出した電波に含まれるデータフレームを検知する。携帯端末検知装置３０は、検知したデータフレームから携帯端末装置２０の識別子を取得する。そして、携帯端末検知装置３０は、取得した携帯端末装置２０の識別子と携帯端末検知装置３０の識別子とに検知した時刻情報を付加して認証／収集サーバ５０に送信する。
【００２６】
認証／収集サーバ５０は、検知した時刻情報が付加された携帯端末装置２０の識別子と携帯端末検知装置３０の識別子とを情報配信制御装置１０に送信する。情報配信制御装置１０が備える配信情報特定部１０２は、認証／収集サーバ５０から受信した情報に含まれる時刻情報と、携帯端末検知装置３０の識別子とを関連付けて同一の携帯端末装置ＩＤ毎にまとめることにより行動履歴データテーブルを作成する。
【００２７】
図６は、統計情報を示す統計情報データテーブルである。配信情報特定部１０２は、各登録ユーザの複数日の行動履歴に基づいて、例えば、時間帯Ａ（８：００〜１２：００）、Ｂ（１２：００〜１３：００）、Ｃ（１３：００〜１７：００）、Ｄ（１７：００〜１９：００）、Ｅ（１９：００〜２３：００）毎に累積来店回数を統計的にまとめることにより統計情報データテーブルを作成する。
配信情報特定部１０２は、統計情報データテーブルにおける累積来店回数（ユーザに係る統計情報）に基づいて、各時間帯において訪問する可能性の高い店舗についての配信情報（配信するユーザに係る情報)を特定する。
【００２８】
図７は、基本ルールを示す基本ルールデータテーブルである。基本ルールデータテーブルは、図７で示すように、各ユーザ属性を示すユーザの携帯端末装置２０に対してどの配信情報を配信するかカテゴリーの大枠を決定するカテゴリー１を保持する。基本ルールデータテーブルにおけるカテゴリー１は、携帯端末装置２０を検知した携帯端末検知装置３０を設置している店舗に関連付けられたカテゴリーとしてもよい。また、基本ルールデータテーブルのカテゴリー１は、図６で示した統計情報データテーブルに基づいて決定されるカテゴリー、すなわち、各ユーザの累積来店回数の最も高い店舗のカテゴリー１としてもよい。
【００２９】
図８は、本発明の第一の実施形態による情報配信制御装置１０を備える情報システム１の処理フローの一例を示す図である。
次に、第一の実施形態による情報システム１の処理について図８を用いて説明する。ここでは、図２で示した情報システム１の処理を例に説明する。
なお、ショッピングモールが行う配信情報サービスのユーザ登録は完了しており、ユーザの携帯端末装置２０（携帯端末装置ＩＤ２）は、広告やクーポンなどの配信情報を受信するためのアプリケーションプログラムがインストールされているものとする。また、ショッピングモールの各店舗は、携帯端末検知装置３０を設置しており、図３で示したグループ情報データテーブルにおけるグループＡに登録されているものとする。
【００３０】
ユーザが携帯端末装置２０を所持し、ショッピングモールの店舗Ｊに入ったとする。
すると、店舗Ｊに設置されている携帯端末検知装置３０ｊは、携帯端末装置２０が発信する電波を受信する。携帯端末検知装置３０ｊは、受信した電波に含まれる情報に基づいて、携帯端末装置２０を特定する。例えば、携帯端末検知装置３０ｊは、受信した電波に含まれるデータフレームを検知する。携帯端末検知装置３０ｊは、検知したデータフレームから携帯端末装置２０の識別子である携帯端末装置ＩＤ２を取得する。そして、携帯端末検知装置３０ｊは、取得した携帯端末装置ＩＤ２と携帯端末検知装置３０ｊの識別子である携帯端末検知装置ＩＤ３とに検知した時刻情報を付加して認証／収集サーバ５０に送信する。
【００３１】
認証／収集サーバ５０は、携帯端末検知装置３０ｊから検知した時刻情報が付加された携帯端末装置ＩＤ２と携帯端末検知装置ＩＤ３を受信すると、時刻情報が付加された携帯端末装置ＩＤ２と携帯端末検知装置ＩＤ３とを情報配信制御装置１０に送信する。このとき、認証／収集サーバ５０は、受信した携帯端末装置ＩＤ２が登録ユーザであるか否かの認証を行ってもよい。
【００３２】
情報配信制御装置１０が認証／収集サーバ５０から時刻情報が付加された携帯端末装置ＩＤ２と携帯端末検知装置ＩＤ３とを受信すると、配信情報特定部１０２は、記憶部１０９からユーザ情報データテーブルを読み出す。配信情報特定部１０２は、読み出したユーザ情報データテーブルにおける携帯端末装置ＩＤと、認証／収集サーバ５０から受信した携帯端末装置ＩＤとを比較する。配信情報特定部１０２は、比較した結果、ユーザ情報データテーブルにおいて携帯端末装置ＩＤが同一であると判定した携帯端末装置ＩＤに対応するユーザ属性を読み取る（ステップＳ１）。
【００３３】
例えば、配信情報特定部１０２は、図４で示すユーザ情報データテーブルにおいて保持されている携帯端末装置ＩＤのそれぞれと、受信した携帯端末装置ＩＤ２とを順に比較する。配信情報特定部１０２は、ユーザ情報データテーブルの２番目の携帯端末装置ＩＤ２と、受信した携帯端末装置ＩＤ２とを比較して同一であると判定した場合、そのＩＤ２に対応するユーザ属性Ｂ（女性、２０代）を読み取る。
【００３４】
配信情報特定部１０２は、ユーザ属性を読み取ると、記憶部１０９から基本ルールデータテーブルを読み出す。配信情報特定部１０２は、読み出した基本ルールデータテーブルにおけるユーザ属性と、ステップＳ１の処理で読み取ったユーザ属性とを比較する。配信情報特定部１０２は、比較した結果、基本ルールデータテーブルにおいて同一であると判定したユーザ属性に対応する時間帯とカテゴリー１とを読み取る。そして、配信情報特定部１０２は、認証／収集サーバ５０から受信した携帯端末装置ＩＤ２と携帯端末検知装置ＩＤ３に付加された時刻情報が基本ルールデータテーブルにおいて読み取ったユーザ属性に対応する時間帯のうちのどの時間帯であるかを読み取る（ステップＳ２）。配信情報特定部１０２は、基本ルールデータテーブルにおいて読み取った時間帯に対応するカテゴリー１を読み取る（ステップＳ３）。
【００３５】
例えば、配信情報特定部１０２は、記憶部１０９から図７で示す基本ルールデータテーブルを読み出す。配信情報特定部１０２は、読み出した基本ルールデータテーブルにおけるユーザ属性と、ステップＳ１の処理で読み取ったユーザ属性Ｂとを順に比較する。配信情報特定部１０２は、基本ルールデータテーブルの２番目のユーザ属性Ｂと、ステップＳ１の処理で読み取ったユーザ属性Ｂとを比較して同一であると判定し、時間帯とカテゴリー１とを読み取る。配信情報特定部１０２は、認証／収集サーバ５０から受信した携帯端末装置ＩＤ２と携帯端末検知装置ＩＤ３に付加された時刻情報が例えば１８：１５を示す場合、読み取った時間帯のうち時間帯Ｄであると判定し、対応するカテゴリー１を「食事」と読み取る。
【００３６】
配信情報特定部１０２は、ユーザ属性を読み取ると、記憶部１０９から図６で示す携帯端末装置ＩＤ２のユーザの統計情報データテーブルを読み出す。配信情報特定部１０２は、読み出した統計情報データテーブルにおける時間帯と、ステップＳ２の処理で読み取った時間帯とを比較する。配信情報特定部１０２は、比較した結果、統計情報データテーブルにおいて時間帯が同一であると判定した時間帯に対応する複数のカテゴリー１を読み取る（ステップＳ４）。配信情報特定部１０２は、累積来店回数などの統計情報に基づいて、ステップＳ３の処理で読み取ったカテゴリー１がステップＳ４の処理で読み取った複数のカテゴリー１のうちのどのカテゴリー１であるかを読み取る（ステップＳ５）。配信情報特定部１０２は、読み取ったカテゴリー１に対応する店舗名と、カテゴリー２と、カテゴリー３とを読み取る（ステップＳ６）。
【００３７】
例えば、配信情報特定部１０２は、記憶部１０９から図６で示す統計情報データテーブルを読み出す。配信情報特定部１０２は、読み出した統計情報データテーブルにおける時間帯と、ステップＳ２の処理で読み取った時間帯とを順に比較する。配信情報特定部１０２は、統計情報データテーブルの４番目の時間帯Ｄと、ステップＳ２の処理で読み取った時間帯Ｄとを比較して同一であると判定し、カテゴリー１を読み取る。配信情報特定部１０２は、ステップＳ４の処理で読み取った時間帯Ｄに対応する複数のカテゴリー１を読み取る。配信情報特定部１０２は、統計情報データテーブルにおける時間帯Ｄに対応するカテゴリー１と、ステップＳ３の処理で読み取ったカテゴリー１とを順に比較する。配信情報特定部１０２は、統計情報データテーブルにおける時間帯Ｄに対応するカテゴリー１の１番目のカテゴリー１と、ステップＳ４の処理で読み取ったカテゴリー１とを比較して同一であると判定し、店舗名が「店舗Ｋ」、カテゴリー２が「高級」、カテゴリー３が「イタリアン」であると読み取る。
【００３８】
上述のように、配信情報特定部１０２は、携帯端末装置２０に配信する配信情報を、店舗名、カテゴリー１、カテゴリー２、カテゴリー３に係る配信情報であると読み取る。ここで示した例では、配信情報特定部１０２は、店舗名「店舗Ｋ」、カテゴリー１「食事」、カテゴリー２「高級」、カテゴリー３「イタリアン」に係る配信情報であると読み取る。
配信情報特定部１０２は、読み取った店舗名、カテゴリー１、カテゴリー２、カテゴリー３を情報配信部１０３に出力する。
【００３９】
また、情報配信制御装置１０が認証／収集サーバ５０から時刻情報が付加された携帯端末装置ＩＤ２と携帯端末検知装置ＩＤ３とを受信すると、グループ情報管理部１０１は、グループ情報データテーブルを読み出す。例えば、グループ情報管理部１０１は、記憶部１０９からグループ情報データテーブルを読み出す。
グループ情報管理部１０１は、読み出したグループ情報データテーブルにおいて携帯端末検知装置ＩＤ３が登録されているグループ情報を読み取る（ステップＳ７）。グループ情報管理部１０１は、読み取った携帯端末検知装置ＩＤ３が登録されているグループ情報を情報配信部１０３に出力する。
【００４０】
情報配信部１０３は、配信情報特定部１０２から店舗名、カテゴリー１、カテゴリー２、カテゴリー３を入力する。また、情報配信部１０３は、グループ情報管理部１０１から携帯端末検知装置ＩＤ３が登録されているグループ情報を入力する。すると、情報配信部１０３は、入力した店舗名、カテゴリー１、カテゴリー２、カテゴリー３と、携帯端末検知装置ＩＤ３が登録されているグループ情報とに基づいて、配信情報を決定する（ステップＳ８）。例えば、情報配信部１０３は、携帯端末検知装置ＩＤ３が登録されているグループ情報が示す店舗に配信情報特定部１０２から入力した店舗名が存在し、その店舗に係る配信情報が存在する場合には、その店舗に係る情報を配信情報とする。また、情報配信部１０３は、携帯端末検知装置ＩＤ３が登録されているグループ情報が示す店舗に配信情報特定部１０２から入力した店舗名が存在するが、その店舗に係る配信情報が存在しない場合には、カテゴリー１、カテゴリー２、カテゴリー３に基づき最も近い店舗に係る情報を配信情報とする。また、情報配信部１０３は、携帯端末検知装置ＩＤ３が登録されているグループ情報が示す店舗に配信情報特定部１０２から入力した店舗名が存在しない場合にも、カテゴリー１、カテゴリー２、カテゴリー３に基づき最も近い店舗に係る情報を配信情報とする。
なお、情報配信部１０３は、例えば、カテゴリー１が完全に一致する場合、カテゴリー１とカテゴリー２が完全に一致する場合、カテゴリー１〜カテゴリー３のすべてが完全に一致する場合などの条件を設け、条件を満足しない場合には情報を配信しないものとしてもよい。
【００４１】
情報配信部１０３は、配信情報を決定すると、決定した配信情報を携帯端末装置２０に配信するよう指示する指示信号と、配信情報とをＰＵＳＨ連携サーバ６０に送信する（ステップＳ９）。
ＰＵＳＨ連携サーバ６０は、情報配信制御装置１０から指示信号と配信情報を受信すると、受信した指示信号と配信情報を、ＰＵＳＨサーバ７０に送信する。
ＰＵＳＨサーバ７０は、受信した指示信号と配信情報を受信すると、受信した配信情報を携帯端末装置２０に送信する。
【００４２】
以上、本発明の第一の実施形態による情報配信制御装置１０を備える情報システム１の処理について説明した。上述の情報配信制御装置１０を備える情報システム１によれば、グループ情報管理部１０１は、複数の携帯端末検知装置３０が登録されたグループを示すグループ情報を管理する。配信情報特定部１０２は、携帯端末装置２０のユーザの嗜好性とユーザの属性とに基づいて、配信する情報のカテゴリーを特定する。情報配信部１０３は、複数の携帯端末検知装置３０のうちの１つが携帯端末装置２０を検知した場合に、検知した携帯端末検知装置３０が登録されたグループの他の携帯端末検知装置３０の設置位置に係る情報のうち検知された携帯端末装置２０のユーザの属性に係る情報を配信する。
このようにすれば、同一グループに登録された携帯端末検知装置３０の設置位置に係る情報は、同一グループに登録された他の携帯端末検知装置３０が検知した携帯端末装置２０にも配信することが可能となる。そのため、広い範囲に存在する携帯端末装置を対象に各ユーザに適した配信情報をＰＵＳＨ配信することができる。
また、配信情報特定部１０２は、ユーザに係る統計情報に基づいて、ユーザの属性に係る配信する情報のカテゴリーを特定する。
このようにすれば、各ユーザに対してより適切な配信情報を特定することができ、無駄な配信によるネットワーク回線における伝送遅延や輻輳を回避することができる。
【００４３】
＜第二の実施形態＞
図９は、本発明の第二の実施形態による情報配信制御装置１０を備える情報システム１の一例を示す図である。
次に、第二の実施形態による情報システム１について説明する。
第二の実施形態による情報システム１は、第一の実施形態による情報システム１に加え、情報配信制御装置１０が情報配信抑制部１０４を備える。
情報配信抑制部１０４は、複数の携帯端末検知装置３０のうちの１つが携帯端末装置２０を検知した場合に、所定の条件を満足しない場合に、ユーザの属性に係る情報の配信を抑制する。
【００４４】
図１０は、本発明の第二の実施形態による情報配信制御装置１０を備える情報システム１の処理フローの一例を示す図である。
次に、第二の実施形態による情報システム１の処理について図１０を用いて説明する。ここでは、図９で示した情報システム１の処理を例に説明する。
なお、ショッピングモールが行う配信情報サービスのユーザ登録は完了しており、ユーザの携帯端末装置２０（携帯端末装置ＩＤ２）は、広告やクーポンなどの配信情報を受信するためのアプリケーションプログラムがインストールされているものとする。また、ショッピングモールの各店舗は、携帯端末検知装置３０を設置しており、図３で示したグループＡに登録されているものとする。
【００４５】
ここでは、図８で示した第一の実施形態による情報システム１の処理フローと異なる処理ステップであるステップＳ８とステップＳ９の間に行うステップＳ１０の処理について説明する。
【００４６】
第二の実施形態による情報システム１のステップＳ８の処理により、情報配信部１０３は、入力した店舗名、カテゴリー１、カテゴリー２、カテゴリー３と、携帯端末検知装置ＩＤ３が登録されているグループ情報とに基づいて、配信情報を決定する。そして、情報配信部１０３は、配信情報を決定したことを報知する報知信号を情報配信抑制部に出力する。
情報配信抑制部１０４は、情報配信部１０３から報知信号を入力すると、記憶部１０９から所定の条件を読み出す。情報配信抑制部１０４は、記憶部１０９から読み出した所定の条件を満足しているか否かを判定する（ステップＳ１０）。
情報配信抑制部１０４が所定の条件を満足していると判定した場合（ステップＳ１０、ＹＥＳ）、情報配信部１０３は、ステップＳ９の処理を行う。
また、情報配信抑制部が所定の条件を満足していないと判定した場合（ステップＳ１０、ＮＯ）、情報配信抑制部１０４は、一定時間が経過した後、再度ステップＳ１０の処理を行う。
なお、情報配信抑制部１０４が判定する所定の条件とは、例えば、同一の携帯端末装置２０に対して、前回の配信から所定時間経過したという条件や、所定期間内に同一の配信情報を配信していないという条件などである。また、情報配信抑制部１０４が判定する所定の条件とは、例えば、同一グループの他の携帯端末検知装置３０が過去の所定期間内に同一の携帯端末装置２０を検知し、同一の配信情報を配信していないという条件などである。
【００４７】
以上、本発明の第二の実施形態による情報配信制御装置１０を備える情報システム１の処理について説明した。上述の情報配信制御装置１０を備える情報システム１によれば、情報配信抑制部１０４は、記憶部１０９から読み出した所定の条件を満足しているか否かを判定する。
このようにすれば、各ユーザに対してより適切な配信情報を特定することができ、無駄な配信によるネットワーク回線における伝送遅延や輻輳を回避することができる。
【００４８】
なお、本発明における実施形態による情報配信制御装置１０を備える情報システム１は、以下のように運営することができる。
【００４９】
図１１は、本発明の第一の実施形態による情報配信制御装置１０を備える情報システム１の運営の一例を示す図である。
図１１で示す情報システム１が備える通知制御サーバ１０は、図２で示した第一の実施形態による情報配信制御装置１０を備えるサーバである。
【００５０】
事業運営者は、基盤サービス運営者から借りた無線局／店頭端末などの携帯端末検知装置３０を勝地、美術館／催事場、ショッピングモール、歓楽街などの店舗に貸し出す。また、事業運営者は、基盤サービス運営者から買い取った携帯端末検知装置３０を勝地、美術館／催事場、ショッピングモール、歓楽街などの店舗に対して販売する。事業運営者は、店舗が設置した携帯端末検知装置３０が検知した携帯端末装置２０の登録ユーザに配信情報（広告やクーポンなど）を配信することで店舗から広告料などを受け取る。事業運営者は、配信情報の配信制御を制御サービス運営者に委託する。また、事業運営者は、自ら情報サーバ４０を運営し、配信情報サービスのユーザ登録の受け付け、配信情報サービスを受けるためのアプリケーションプログラムの提供などを行う。なお、事業運営者が、登録ユーザの携帯端末装置２０に配信情報を配信してもよい。
【００５１】
制御サービス運営者は、ネットワーク回線の使用に関して基盤サービス運営者と契約する。制御サービス運営者は、事業運営者からの委託に基づいて、通知制御サーバ１０を運営する。制御サービス運営者は、通知制御サーバ１０を用いて、基盤サービス運営者から提供されるネットワーク回線を使用し、配信情報を登録ユーザの携帯端末装置２０に配信する制御を行う。
なお、制御サービス運営者が基盤サービス運営者と行うネットワーク回線を使用するサービス契約は、例えば、月額利用料での契約であり、情報総量による従量制や、想定登録者／トラフィック上限などを設ける定額制などを採用する。
【００５２】
基盤サービス運営者は、制御サービス運営者との契約に基づき、認証／収集サーバ５０やＰＵＳＨ連携サーバ６０の運営を行う。また、基盤サービス運営者は、事業運営者に携帯端末検知装置３０の貸し出しや販売を行う。
【００５３】
なお、基盤サービス運営者は、制御サービス運営者に対して、収容している登録ユーザの検出情報のみをリアルタイムで提供する。制御サービス運営者は、基盤サービス運営者から提供された登録ユーザのユーザ情報や時間帯などを分析し、その分析結果に応じて配信情報を決定する。制御サービス運営者は、決定した配信情報の配信を基盤サービス運営者に指示する。基盤サービス運営者は、制御サービス運営者からの配信の指示に従い、ＰＵＳＨサーバ７０を介して対象ユーザの携帯端末装置２０に配信情報を配信する。
【００５４】
図１２は、本発明の第一の実施形態による情報配信制御装置１０を備える情報システム１のサービスの一例を示す図である。
図１２で示す情報システム１が備える通知制御サーバ１０は、図２で示した第一の実施形態による情報配信制御装置１０を備えるサーバである。
【００５５】
自治体は、勝地、美術館/催事場、ショッピングモール、歓楽街など観光要所に携帯端末検知装置３０を設置する。そして、携帯端末検知装置３０が検知した携帯端末装置２０の登録ユーザに配信情報（観光案内や安心安全情報など）を配信することで観光客の増加を図る。自治体は、配信情報の配信制御を制御サービス運営者に委託する。また、自治体は、自ら情報サーバ４０を運営し、配信情報サービスのユーザ登録の受け付け、配信情報サービスを受けるためのアプリケーションプログラムの提供などを行う。なお、自治体が、登録ユーザの携帯端末装置２０に配信情報を配信してもよい。
【００５６】
制御サービス運営者は、ネットワーク回線の使用に関して基盤サービス運営者と契約する。制御サービス運営者は、自治体からの委託に基づいて、通知制御サーバ１０を運営する。制御サービス運営者は、通知制御サーバ１０を用いて、基盤サービス運営者から提供されるネットワーク回線を使用し、配信情報を登録ユーザの携帯端末装置２０に配信する制御を行う。
なお、制御サービス運営者が基盤サービス運営者と行うネットワーク回線を使用するサービス契約は、例えば、月額利用料での契約であり、情報総量による従量制や、想定登録者／トラフィック上限などを設ける定額制などを採用する。
【００５７】
基盤サービス運営者は、制御サービス運営者との契約に基づき、認証／収集サーバ５０やＰＵＳＨ連携サーバ６０の運営を行う。また、基盤サービス運営者は、自治体に携帯端末検知装置３０の貸し出しや販売を行う。
【００５８】
なお、基盤サービス運営者は、制御サービス運営者に対して、収容している登録ユーザの検出情報のみをリアルタイムで提供する。制御サービス運営者は、基盤サービス運営者から提供された登録ユーザのユーザ情報や時間帯などを分析し、その分析結果に応じて配信情報を決定する。制御サービス運営者は、決定した配信情報の配信を基盤サービス運営者に指示する。基盤サービス運営者は、制御サービス運営者からの配信の指示に従い、ＰＵＳＨサーバ７０を介して対象ユーザの携帯端末装置２０に配信情報を配信する。ただし、勝地においては、制御サービス運営者は、イベント情報などを一斉配信する配信の指示を基盤サービス運営者に指示するものであってもよい。
【００５９】
図１３は、本発明の第一の実施形態による情報配信制御装置１０を備える情報システム１のサービスをイメージ化した例を示す図である。
図１３で示す例では、時間帯として朝、正午ごろ、夕方、夜の４つが示されている。
【００６０】
朝には、勝地、美術館／催事場、ショッピングモール、歓楽街の４か所に設置された情報配信制御装置１０がグループ化される。そして、勝地、美術館／催事場、ショッピングモール、歓楽街の４か所に存在する配信対象の携帯端末装置２０には、勝地、美術館／催事場、ショッピングモール、歓楽街の４か所に係る本日のイベントやお得情報が一斉配信される。
【００６１】
正午ごろには、勝地と、美術館／催事場とに設置された情報配信制御装置１０がグループ化される。そして、配信対象の携帯端末装置２０には、勝地と、美術館／催事場とに係る近隣の見どころ情報が配信される。また、ショッピングモールと、歓楽街とに設置された情報配信制御装置１０がグループ化される。そして、配信対象の携帯端末装置２０には、ショッピングモールと、歓楽街とに係るお買い得情報や話題のスポット情報が配信される。
【００６２】
夕方には、勝地、美術館／催事場、ショッピングモール、歓楽街の４か所に設置された情報配信制御装置１０がグループ化される。そして、勝地、美術館／催事場、ショッピングモール、歓楽街の４か所に存在する配信対象の携帯端末装置２０には、歓楽街に係る食べ処や呑み処情報が配信される。
【００６３】
夜には、歓楽街に設置された情報配信制御装置１０がグループ化される。そして、歓楽街に存在する配信対象の携帯端末装置２０には、２件目、３件目のお店情報が配信される。
【００６４】
なお、本発明における記憶部は、適切な情報の送受信が行われる範囲においてどこに備えられていてもよい。また、記憶部は、適切な情報の送受信が行われる範囲において複数存在しデータを分散して記憶していてもよい。
【００６５】
なお本発明の実施形態における処理フローは、適切な処理が行われる範囲において、処理の順番が入れ替わってもよい。
【００６６】
なお本発明の実施形態における情報配信制御装置１０の機能の一部は、別の装置が備えていてもよい。例えば、情報配信制御装置１０が備える情報配信抑制部１０４の機能は、ＰＵＳＨ連携サーバ６０やＰＵＳＨサーバ７０が備えていてもよい。
【００６７】
なお本発明の実施形態について説明したが、上述の情報配信制御装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６８】
また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【００６９】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００７０】
１・・・情報システム
１０・・・情報配信制御装置、通知制御サーバ
２０・・・携帯端末装置
３０、３０ａ、３０ｂ、３０ｊ、３０ｈ・・・携帯端末検知装置
４０・・・情報サーバ
５０・・・認証／収集サーバ
６０・・・ＰＵＳＨ連携サーバ
７０・・・ＰＵＳＨサーバ
１０１・・・グループ情報管理部
１０２・・・配信情報特定部
１０３・・・情報配信部
１０４・・・情報配信抑制部
１０９・・・記憶部
【図１】
2015176545.tif 000003
【図２】
2015176545.tif 000004
【図３】
2015176545.tif 000005
【図４】
2015176545.tif 000006
【図５】
2015176545.tif 000007
【図６】
2015176545.tif 000008
【図７】
2015176545.tif 000009
【図８】
2015176545.tif 000010
【図９】
2015176545.tif 000011
【図１０】
2015176545.tif 000012
【図１１】
2015176545.tif 000013
【図１２】
2015176545.tif 000014
【図１３】
2015176545.tif 000015